(57)【特許請求の範囲】
【請求項１】
駆動装置の有する透光性の指針軸により回動され、基部と、前記基部の一端から前記指針軸の軸心と交差する指示方向に伸長された指示部と、を有する透光性材料からなる指針部材において、
前記指針軸の先端の端面と相対するように前記基部に設けられ、前記指針軸により導かれた光源の光を受光するとともに受光した光を集光するレンズ形状に形成された受光部と、
前記受光部で集光された光を前記指示部の先端方向に反射するように形成された反射面と、を有していることを特徴とする指針部材。
【請求項２】
前記受光部の前記指示部の先端方向に沿う断面形状が、前記光源側に凸の曲線状に形成されていることを特徴とする請求項１に記載の指針部材。
【請求項３】
前記基部が、前記指針軸の先端が内側に挿入嵌合される円筒状の基部本体を有し、
前記受光部が、前記基部本体の内側に設けられていることを特徴とする請求項１又は２に記載の指針部材。
【請求項４】
請求項１〜３のいずれか一項に記載の指針部材と、前記指針部材の指示部を覆うとともに前記基部側と反対側に向けられた前記指示部の面からの光が通過するスリットが設けられたカバー部材と、を有することを特徴とする指針ユニット。
【請求項５】
請求項４に記載の指針ユニットと、前記指針ユニットが取り付けられた透光性の指針軸を計測量に応じて回動させる駆動装置と、前記指針軸により導かれて前記指針ユニットの指針部材に受光される光を発する光源と、を有することを特徴とする指針計器。
【発明の詳細な説明】
【技術分野】
【０００１】
本発明は、光源の光を受けて光輝する透光性材料からなる指針部材、この指針部材を有する指針ユニット、及び、この指針ユニットを有する指針計器に関するものである。
【背景技術】
【０００２】
一般に車両には、車両速度及びエンジン回転数等の計測値を表示する車両用表示装置が搭載されており、多くの車両において上記車両用表示装置が指針計器で構成されている。指針計器は、表面に目盛及び数字、文字または記号等の指標が設けられた文字板と、この文字板の前面側に配置されて文字板上の指標を指し示す指針ユニットと、指針ユニットが取り付けられた指針軸を計測量に応じて回動させる駆動装置と、回路パターンや電子部品等が設けられるとともに駆動装置が固定された配線板と、をメータケースに収容して構成している。
【０００３】
そして、このような指針計器に設けられた指針ユニットを暗所においても見やすくするために、指針ユニットを構成する指針部材を、透光性材料としての透光性の合成樹脂で形成するとともに、指針部材内に光源からの光を導光させて指針部材を光輝させる技術が種々開示されている（例えば、特許文献１など）。
【０００４】
例えば、図１０に一部を示す指針計器９０１は、文字板９０２と、指針ユニットとしての自発光指針９０３と、駆動装置９０４と、配線板９０５と、光源９０６と、を有している。自発光指針９０３は、例えば、ポリカーボネートなどの透光性の合成樹脂により一体成形された基部９４０と指示部９５０とを有する指針部材としての指針本体９３１と、指針本体９３１を覆うとともに指針本体９３１の指示部９５０の上面９５３を露出させるカバー部材９３２と、を備えている。
【０００５】
指針本体９３１の基部９４０は、導光部材を兼ねた指針軸９１４の先端に取り付けられる円筒状の基部本体９４１と、指針軸９１４内をその軸心Ｐに沿って導かれた光源９０６の光Ｌを受光する受光部９４２と、が設けられている。受光部９４２は、基部本体９４１の上端９４１ａの内側に、その内径と同径で且つ軸心Ｐに直交する円形平面状に形成されている。指針本体９３１の指示部９５０は、基部９４０から指針軸９１４の軸心Ｐに交差する指示方向Ｓ１に伸長されており、また、指示部９５０の基部９４０寄りの端部には、反射面９６５が設けられている。
【０００６】
この反射面９６５は、指示部９５０の外側に凸の緩く湾曲した曲面形状に形成されており、その下方寄りの一端９６５ａが基部本体９４１の上端９４１ａ近傍に配置され、この一端９６５ａから指示方向Ｓ１に向かうにしたがって基部９４０から徐々に軸心Ｐ方向（図１０の上方向）に離れるように、指針軸９１４の軸心Ｐに対し傾斜して設けられている。そのため、この反射面９６５に受光部９４２で受光された光Ｌが入射すると、反射面９６５から指示部９５０の先端９５１に向く先端９５１方向（即ち、指示方向Ｓ１）に当該光Ｌが反射される。そして、この反射された光Ｌ１が指示部９５０内を進むとともに指示部９５０の上面９５３から出光して、当該上面９５３が発光する。
【０００７】
また、基部９４０寄りの端部から先端９５１に至るまでの指示部９５０の上面９５３全体を十分に光輝させるためには、反射面９６５での光の透過（光漏れ）を少なくしてより多くの光を先端９５１方向に向けて反射する必要がある。そのため、図１１に示すように、光Ｌの反射面９６５への入射角αを全反射条件を満たす角度（例えば、ポリカーボネートの場合、約３９．４度以上の角度）にするなど、当該入射角αが大きくなるように、反射面９６５を、指針軸９１４の軸心Ｐに対し傾斜して形成していた。
【先行技術文献】
【特許文献】
【０００８】
【特許文献１】実開平６−１２９９５号公報
【発明の概要】
【発明が解決しようとする課題】
【０００９】
しかしながら、光Ｌの反射面９６５への入射角αを大きくすると、反射面９６５における指針軸９１４の軸心Ｐに対する傾斜角β（α＋β＝９０度）が小さくなって、反射面９６５が基部９４０から立ち上がり（軸心Ｐに平行に近づき）、そのため、指示部９５０の高さｈ’（即ち、指示部９１４の軸心Ｐ方向の長さ）が大きくなって、指針部材９３１が大きくなってしまうという問題があった。
【００１０】
本発明は、上記課題に係る問題を解決することを目的としている。即ち、本発明は、指示部の上面全体を十分に光輝させることができる小型の指針部材、その指針部材を有する指針ユニット、及び、その指針ユニットを有する指針計器を提供することを目的としている。
【課題を解決するための手段】
【００１１】
請求項１に記載された発明は、上記目的を達成するために、駆動装置の有する透光性の指針軸により回動され、基部と、前記基部の一端から前記指針軸の軸心と交差する指示方向に伸長された指示部と、を有する透光性材料からなる指針部材において、前記指針軸の先端の端面と相対するように前記基部に設けられ、前記指針軸により導かれた光源の光を受光するとともに受光した光を集光するレンズ形状に形成された受光部と、前記受光部で集光された光を前記指示部の先端方向に反射するように形成された反射面と、を有していることを特徴とする指針部材である。
【００１２】
請求項２に記載された発明は、請求項１に記載された発明において、前記受光部の前記指示部の先端方向に沿う断面形状が、前記光源側に凸の曲線状に形成されていることを特徴とするものである。
【００１３】
請求項３に記載された発明は、請求項１又は２に記載された発明において、前記基部が、前記指針軸の先端が内側に挿入嵌合される円筒状の基部本体を有し、前記受光部が、前記基部本体の内側に設けられていることを特徴とするものである。
請求項４記載された発明は、上記目的を達成するために、請求項１〜３のいずれか一項に記載の指針部材と、前記指針部材の指示部を覆うとともに前記基部側と反対側に向けられた前記指示部の面からの光が通過するスリットが設けられたカバー部材と、を有することを特徴とする指針ユニットである。
【００１４】
請求項５に記載された発明は、上記目的を達成するために、請求項４に記載の指針ユニットと、前記指針ユニットが取り付けられた透光性の指針軸を計測量に応じて回動させる駆動装置と、前記指針軸により導かれて前記指針ユニットの指針部材に受光される光を発する光源と、を有することを特徴とする指針計器である。
【発明の効果】
【００１５】
本発明によれば、光源の光を受光するとともに受光した光を集光するレンズ形状に形成されて指針部材の基部に設けられた受光部と、この受光部で集光された光を指針部材の指示部の先端方向に反射するように形成された反射面と、を有しているので、受光部を通過した光源の光が反射面に入射する領域を小さくすることができ、そのため、指示部の高さを小さくでき、指示部の先端方向に反射される光量を確保して指示部の上面全体を十分に光輝させることができるとともに小型にできる。
【００１６】
また、受光部の先端方向（即ち、指示方向であり、指示部の長手方向でもある）に沿う断面形状が光源側に凸の曲線状に形成されることにより、受光部が単純な凸レンズ形状となり、そのため、指針部材を容易且つ安価に製造できる。
【図面の簡単な説明】
【００１７】
【図１】本発明の指針計器の一実施形態である車両用表示装置の断面図である。
【図２】図１の車両用表示装置が備える自発光指針（指針ユニット）の分解立体図である。
【図３】（ａ）は、図２の自発光指針の指針本体を斜め方向から見た部分透視図であり、（ｂ）は、（ａ）の指示方向Ｓ１に沿う部分断面図である。
【図４】図３の指針本体の基部に設けられた受光部の変形例の構成を示す図である。
【図５】図３の指針本体の指示部内を進む光を模式的に示す図である。
【図６】図３の指針本体の受光部及び反射面付近を進む光を模式的に示す図である。
【図７】反射面における受光面で受光された光が入射する領域の大きさが、受光面の形状によって変化することを説明する図である。
【図８】図３の指針本体の変形例の構成を示す図である。
【図９】図２の自発光指針の変形例の構成を示す部分断面図である。
【図１０】従来の指針計器及び自発光指針の構成を示す図である。
【図１１】図７の自発光指針の指針本体の指示部内を進む光を模式的に示す図である。
【発明を実施するための形態】
【００１８】
以下、本発明に係る指針計器の一実施形態である車両用表示装置について、図１〜図８を参照して説明する。
【００１９】
図１において、車両用表示装置１は、例えば、車両速度を表示する速度メータであり、表面２ａ（視認者から視認される面）に目盛及び数字、文字または記号等の指標が設けられた文字板２と、この文字板２の表面２ａ上に配置される指針ユニットとしての自発光指針（以下、指針ともいう）３と、指針３が先端に取り付けられる指針軸１４を備えた駆動装置４と、回路パターンや電子部品等が設けられ且つ駆動装置４が固定された配線板５と、配線板５に設けられた複数の光源６と、配線板５の中央から文字板２の縁部に向かうように形成されたテーパ部７ａを有するケース７と、配線板５の裏面側を覆う裏カバー８と、表ガラス９と、を有している。
【００２０】
文字板２は、例えば、ポリカーボネートなどの透明又は半透明の合成樹脂などからなる、略円板状に形成された部材であり、文字板２の表面２ａには、それぞれ図示しない遮光インクが印刷された遮光領域と、文字や目盛等の形状に沿って遮光インクを抜いて（遮光インクを印刷しないようにして）形成された透光性意匠としての指標が設けられている。各指標は、後述する光源６によって文字板２の裏面側から照らされることにより発光視認される。
【００２１】
指針３は、文字板２の表面２ａ側に配置されて、文字板２に設けられた各指標を指示することによりこれら各指標と協働して計測量を表示する。指針３は、図２に示すように、指針部材としての指針本体３１と、該指針本体３１を覆う不透明な合成樹脂からなるカバー部材３２と、カバー部材３２内に設けられて指針３のバランスを調整するバランス部材３９と、を有している。
【００２２】
指針本体３１は、図３（ａ）、（ｂ）に示すように、例えば、ポリカーボネート樹脂やアクリル樹脂など、透光性材料としての透光性の合成樹脂を用いて一体に形成された基部４０と指示部５０とを有している。
【００２３】
基部４０は、円筒状の基部本体４１と、基部本体４１の内側で上端４１ａ近傍に設けられた受光部４２と、を有している。基部本体４１は、その下端４１ｂに指針軸１４の先端が挿入嵌合されることにより、当該指針軸１４に同軸に固定して取り付けられる。つまり、基部本体４１の中心は、指針軸１４の軸心Ｐに一致する。
【００２４】
受光部４２は、基部本体４１の内側と同径で且つ指針軸１４側に凸の半球面形状、即ち、凸レンズ形状に形成されている。そのため、後述する指示部５０の先端５１方向（即ち、指示方向Ｓ１）に沿う受光部４２の断面形状は、指針軸１４側に凸の曲線状に形成されている。受光部４２は、この受光部４２を通過した光の進む方向を受光した光と同一とし、且つ、受光部４２を通過した光の照射面積を、受光部４２が平面形状であるときよりも小さくする。受光部４２は、基部本体４１に指針軸１４が嵌合されたとき、指針軸１４の先端の端面１４ａと間隔をあけて相対する。これにより、受光部４２は、導光部材である指針軸１４内を軸心Ｐに沿って進む光Ｌを受光する。勿論、受光部４２と指針軸１４の端面１４ａとが互いに接するように配置されていてもよい。
【００２５】
受光部４２の形状は、上述したような指針軸１４側に凸の半球面形状以外にも、例えば、図４に示すように、指針軸１４側に凸の半球面形状の頂部が平坦に切り落とされた形状や、指示部５０の先端５１方向に沿う断面形状が指針軸１４側に凸の曲線状にとなるように指示部５０の幅方向（図３（ｂ）の手前−奥方向）に軸が平行に配置された半円柱形状（かまぼこ形状）、フレネルレンズ形状、レンズアレイ形状、平面、曲面、又は、これらを組み合わせた形状等、受光した光を集光する形状、即ち、受光した光における先端方向（指示方向Ｓ１）の幅を狭めて反射面６５に入射させる形状であれば、本発明の目的に反しない限り、受光部４２の形状は任意である。
【００２６】
指示部５０は、基部本体４１の上端４１ａ（即ち、基部４０の一端）に連接して設けられており、上端４１ａから当該軸心Ｐに直角又は略直角に交差する一方向（即ち、指示方向Ｓ１）に伸長されて形成されている。指示方向Ｓ１は、指針軸１４の半径方向に一致又は略一致する。
【００２７】
基部４０側に向けられた指示部５０の表面である底面５４には、指示部５０内から当該底面５４に入射した光を反射するように、ホットスタンプ等によって白色又は銀色などに着色して形成された反射層５４ａが重ねて設けられている。また、底面５４と反対側の指示部５０の表面である上面５３には、当該上面５３から出光する光を拡散させるように、ホットスタンプ等によって赤色などに着色して形成された拡散層５３ａが重ねて設けられている。また、これ以外にも、底面５４及び上面５３に、シボや微細プリズム構造などを形成することによって反射層５４ａ及び拡散層５３ａを形成してもよい。また、本実施形態では、指示部５１側の底面５４のみ反射層５４ａが設けられているが、後方部５１側の底面５４にも同様の反射層５４ａを設けてもよい。以下の説明において、「底面５４」との記載は、反射層５４ａを含む指示部５０における基部４０側の表面のことを表し、「上面５３」との記載は、底面５４と反対側の拡散層５３ａを含む指示部５０の表面のことを表し、底面５４と反射層５４ａ、上面５３と拡散層５３ａについては、必要があるときのみそれらを区別して説明する。なお、これら反射層５４ａと拡散層５３ａは、いずれか一方のみ備えた構成でもよい。また、指示部５０の先端５１と反対側の基部４０寄りの端部には、反射面６５が設けられている。
【００２８】
反射面６５は、指示部５０における基部本体４１の上端４１ａ近傍に設けられている。反射面６５は、図中下方寄りの一端６５ａが基部本体４１の上端４１ａ近傍に配置され、この一端６５ａから指示方向Ｓ１（図３（ｂ）の左方向）に向かうにしたがって、指針軸１４の軸心Ｐに沿う上方向（図３（ｂ）の上方向）に徐々に離れるように傾斜しているとともに、指示部５０の外側に凸の緩く湾曲した曲面形状に形成されている。つまり、反射面６５は、指針軸１４の軸心Ｐに対し傾斜して設けられている。反射面６５の他端６５ｂは、指示部５０の上面５３に連接されている。これにより、反射面６５は、受光部４２で受光された光Ｌが入射されると当該光Ｌを指示部５０の先端５１方向に反射する。
【００２９】
また、反射面６５は、受光部４２で受光された光Ｌの入射角αが全反射条件を満たすように、軸心Ｐに対する傾斜角β（α＋β＝９０度）が設定されている。この全反射条件を満たす入射角αとは、例えば、一般的なポリカーボネートの場合で入射角αが約３９．４度以上の角度である。これにより、受光部４２で受光された光Ｌは、反射面６５を透過することなく先端５１方向に向けて全反射される。なお、上記入射角αとは、指針軸１４の軸心Ｐと交差する反射面６５の箇所における入射角のことである。
【００３０】
指針本体３１は、基部４０の受光部４２で受光された光を、反射面６５で反射して指示部５０内を導光して、指示部５０の上面５３から出光させる。これにより、指示部５０の上面５３が発光して、当該上面５３がカバー部材３２のスリット７１を通じて発光視認される。
【００３１】
カバー部材３２は、図２に示すように、上下に分割された上部カバー３３と下部カバー３８とを有している。
【００３２】
上部カバー３３は、指針本体３１の指示部５０の外形に合わせて後端３４ｂから先端３４ａに向かって徐々に細くなる略角筒状に形成された第１カバー部３４と、指針本体３１の基部４０周辺を覆う円形皿状に形成された第２カバー部３５と、を有している。第１カバー部３４と第２カバー部３５とは図中下方に向けて開口しており、この開口から上記指針本体３１の指示部５０が内側に収容される。
【００３３】
第１カバー部３４の上壁部３４ｃには、後端３４ｂから先端３４ａまで伸びるスリット７１が設けられている。このスリット７１は、指針本体３１とカバー部材３２とが組み付けられたとき、指針本体３１の指示部５０の上面５３をその長手方向の全長にわたって一直線状に露出させるように形成されている。なお、スリット７１の長さ及び幅は、指針３のデザイン等に応じて任意に設計することができる。また、スリット７１内に透光性着色部材や光拡散部材を設けるなどしてもよく、スリット７１は、指示部５０の上面５３から出光された光が通過するように構成されていればよい。また、第２カバー部３５の内面には、図中下方に向けて突出して形成され、下部カバー３８の一対の嵌合孔３８ｄに嵌合する一対のボス（図示せず）が設けられている。
【００３４】
下部カバー３８は、上部カバー３３の第２カバー部３５の開口形状に合わせて形成された円環板形状の第１蓋部３８ａと、指示部５０を収容する上部カバー３３の第１カバー部３４の先端側の部分の開口形状に合わせて形成された、第１蓋部３８ａからその半径方向に延びる帯状の第２蓋部３８ｂと、第１蓋部３８ａに設けられて指針本体３１の基部４０が貫通される貫通部３８ｃと、上記上部カバー３３の一対のボスに対応して第１蓋部３８ａに設けられた一対の嵌合孔３８ｄと、バランス部材３９が取り付けられる取付ボス３８ｅと、を有している。下部カバー３８は、上部カバー３３に組み付けられることで第１カバー部３４及び第２カバー部３５の開口を塞ぎ、上部カバー３３とともに指針本体３１の指示部５０を収容する空間を形成する。そして、この収容空間に指針本体３１の指示部５０が収容されることで、指示部５０の底面５４等の表面から出光した光が文字板２等を照らすことを防止できる。
【００３５】
バランス部材３９は、指針本体３１の指示部５０を考慮して設定された重量に形成されており、カバー部材３２の下部カバー３８に設けられた取付ボス３８ｅに嵌合される嵌合孔３９ａを有している。バランス部材３９は取付ボス３８ｅによって位置決めされてカバー部材３２内に収容される。
【００３６】
このように構成された指針３は、例えば、以下のように組み立てられる。まず、下部カバー３８の貫通部３８ｃに指針本体３１の基部４０を貫通させて、下部カバー３８に指針本体３１をセットすると共に、下部カバー３８にバランス部材３９をセットする。そして、上部カバー３３を、指針本体３１の指示部５０の上面５３側から指針本体３１を覆うように近づけて被せ、上部カバー３３の第２カバー内に設けられた一対のボスと下部カバー３８の一対の嵌合孔３８ｄとを嵌合させることで、上部カバー３３と下部カバー３８とを互いに固定して指針本体３１をカバー部材３２内に収容して、組み付けが完了する。
【００３７】
駆動装置４は、周知のステッピングモータであって、ポリカーボネート樹脂などの透光性の合成樹脂などで略円柱状に形成された指針軸１４と、指針軸１４を回動可能に軸支するとともに図示しない速度センサによる速度計測量に応じてステッピングモータの原理で指針軸１４を回動させる本体部１５と、を有している。後述する配線板５に重ねて配置される本体部１５の底面１５ａには凹部１５ｂが設けられており、この凹部１５ｂ内に指針軸１４の図中下方の端面１４ｂが露出されている。図中上方の指針軸１４の先端には、上述した指針本体３１の基部４０が取り付けられる。指針軸１４は、指針本体３１を回動させるとともに導光部材として基部４０に光を導くように構成されている。
【００３８】
配線板５は、電子部品及びこれら電子部品等を電気的に接続する配線パターンなどが設けられた周知のプリント基板である。配線板５の文字板２側の表面には駆動装置４と複数の光源６とが実装されている。
【００３９】
複数の光源６は、ＬＥＤ、バルブ等が用いられ、配線板５に設けられた図示しない制御部によって点灯、消灯が制御される。複数の光源６は、文字板２の指標や指針３の指針本体３１等を発光させるための光を発する。また、複数の光源６のうちの１つが、駆動装置４の本体部１５の凹部１５ｂ内に指針軸１４の端面１４ｂと相対して配置されている。これにより、指針軸１４は、光源６からこの端面１４ｂに入光された光を導光して先端の端面１４ａから出光する。
【００４０】
ケース７は、テーパ部７ａの表面であるテーパ面が反射面となっており、光源６が発した光を文字板２に向けて反射する。これにより、文字板２の表面２ａに設けられた各指標が発光する。裏カバー８は、配線板５の背後を覆うようにケース７に組み付けられる。表ガラス９は、文字板２や指針３等をそれぞれ覆うように配設されて、係止爪などの図示しない固定手段によって見返し１０を介してケース７に取り付けられる。裏カバー８及び表ガラス９は、車両用表示装置１内に、塵埃などが侵入することを防ぐ。
【００４１】
次に、上述した構成の本発明に係る指針本体３１における動作（作用）の一例を、図５〜図７を参照して説明する。各図において、指針本体３１内に記載された矢印は指針本体３１に導光された光の進行方向を模式的に示している。
【００４２】
本実施形態において、指針本体３１の基部４０には、半球面形状の受光部４２が設けられており、指針本体３１の指示部５０には、受光部４２で受光した光Ｌを指示部５０の先端５１に向けて反射する反射面６５が設けられている。また、反射面６５における上記光Ｌの入射角αが全反射条件を満たす角度に設定されている。
【００４３】
図５、図６に示すように、指針軸１４に導光された光源６の光Ｌが受光部４２に受光されると、当該光Ｌは受光部４２を通過して反射面６５に入射し、指示部５０の先端５１に向けて反射される。
【００４４】
図７に、指針軸１４側に凸の半球面形状に形成された受光面４２で受光された光Ｌが入射する反射面６５上の領域Ｒ１（図中、実線で示す）と、指針軸１４に直交する平面形状に形成された受光面４２’で受光された光Ｌが入射する反射面６５上の領域Ｒ１’（図中、点線で表す）と、のそれぞれの大きさを模式的に示す。
【００４５】
図７に示すように、受光部４２’（図中点線で示す）が指針軸１４に直交する平面形状に形成されている場合には、上記光Ｌが受光部４２’に受光されたのち大きく広がってしまうので、上記領域Ｒ１’が大きくなり、反射面６５も大きくなって、そのため、上記領域Ｒ１’の上端に連なるように指示部５０の上面５３’（図中点線で示す）を形成すると、指示部５０の高さはｈ’となる。一方、受光部４２が指針軸１４側に凸の半球面形状に形成されている場合には、上記光Ｌの先端５１方向に集光されてその照射範囲が小さくなるので、上記領域Ｒ１が小さくなり、反射面６５も小さくなって、そのため、上記領域Ｒ１の上端に連なるように指示部５０の上面５３を形成すると、指示部５０の高さは、上記高さｈ’より低いｈとなる。
【００４６】
以上より、本発明によれば、光源６の光を受光するとともに受光した光Ｌを集光するレンズ形状に形成されて指針本体３１の基部４０に設けられた受光部４２と、この受光部４２で集光された光Ｌを指針本体３１の指示部５０の先端５１方向に反射するように形成された反射面６５と、を有しているので、受光部４２を通過した光源６の光Ｌが反射面６５に入射する領域Ｒ１を小さくすることができ、そのため、指示部５０の高さｈを小さくでき、指示部５０の先端５１方向に反射される光量を確保して指示部５０の上面５３全体を十分に光輝させることができるとともに指針本体３１を小型にできる。
【００４７】
また、受光部４２の先端５１方向（即ち、指示方向Ｓ１であり、指示部５０の長手方向でもある）に沿う断面形状が指針軸１４側（即ち、光源６側）に凸の曲線状に形成されているので、受光部４２が単純な凸レンズ形状となり、そのため、指針本体３１を容易且つ安価に製造できる。
【００４８】
本実施形態において、車両用表示装置１、自発光指針３及び指針本体３１の各部の構成及び動作を説明するために使用される上、下、左、右、前、後等の方向を示す表現は、絶対的なものでなく相対的なものであり、車両用表示装置１、自発光指針３及び指針本体３１又はその部品が図に示される姿勢である場合に適切であるが、それらの姿勢が変化した場合には、姿勢の変化に応じて変更して解釈されるべきものである。
【００４９】
また、本実施形態において、反射面６５の形状は、上述した構成に限定されるものではなく、平面、曲面、非球面またはそれらを複合した面や、複数の面で構成されていてもよく、本発明の目的に反しない限り、その形状は任意である。
【００５０】
また、本実施形態においては、指針本体３１の指示部５０が指示方向Ｓ１のみに伸長されたものであったが、これに限定されるものではない。例えば、図８に示す、指針計器１Ａの指針本体３１Ａは、基部４０の上端４１ａから指針軸１４の軸心Ｐに直角（略直角含む）に交差する一方向（即ち、指示方向Ｓ１）に伸長された指示部５０ａと、前記一方向と反対の他方向（即ち、後端方向Ｓ２）に指示部５０ａより短く伸長された後方部５０ｂと、を備えた指針部５０Ａを有しており、さらに、基部４０の上端４１ａ近傍の指針部５０Ａ内には、指示方向反射面６１、後端方向反射面６２及び天井面６３からなる略三角形状に形成された、受光部４２で受光された光を指示方向Ｓ１（即ち、指示部５０ａの先端方向）及び後端方向Ｓ２に反射する、中空状反射部６０が設けられている。このように、指針本体は、受光した光を集光するように設けられた受光部と、この受光部で集光された光を指示部の先端に向けて反射する反射面（反射面６５、指示方向反射面６１など）と、を有するものであれば、本発明の目的に反しない限り、指針本体の構成は任意である。
【００５１】
また、上記中空状反射部６０の形状は、上述した構成に限定されるものではなく、例えば、中空状反射部が、平面状の指示方向反射面、平面状の後端方向反射面、及び、指針部の上面側に向けて張り出して湾曲した曲面状の透過面からなる扇形状であったり、三角形以外の多角形形状であったりするなど、指示方向反射面、後端方向反射面、及び、透過面、を有するとともに、指針部に中空状に形成されているものであれば、本発明の目的に反しない限り、それら形状は任意である。また、指示方向反射面６１、後端方向反射面６２及び透過面６３の形状は、上述した構成に限定されるものではなく、これら各面は、平面、曲面、非球面またはそれらを複合した面や、複数の面で構成されていてもよく、本発明の目的に反しない限り、その形状は任意である。
【００５２】
また、本実施形態において、基部４０は、指針軸１４に取り付けられる基部本体４１と、指針軸１４に導光された光源６の光を受光する受光部４２と、で構成されているものであったが、これに限定されるものではない。例えば、図９に示すように、下部カバー３８に、上記基部本体４１に代替して指針軸１４に取り付けられる円筒状の軸受け部３８ｆを設けて、指針本体３１の基部４０を受光部４２のみで構成するなど、指針本体（指針部材）の基部は、少なくとも光源からの光を受光する受光部を備えているものであれば、その構成は任意である。
【００５３】
また、本実施形態では、速度メータとしての車両用表示装置について説明するものであったが、これに限定されるものではなく、例えば、速度メータ以外にもエンジン回転計や燃料計などに適用されてもよく、または、工場などにおいて気体圧力や温度などの計測に用いられる計器など車両用表示装置以外の工業用計器装置等に用いられてもよく、本発明の目的に反しない限り、その適用用途及び適用装置は任意である。
【００５４】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００５５】
１、１Ａ    車両用表示装置（指針計器）
３      自発光指針（指針ユニット）
４      駆動装置
６      光源
１４    指針軸
３１、３１Ａ    指針本体（指針部材）
３２    カバー部材
４０    基部
４１    基部本体
４１ａ  基部本体の上端（基部の一端）
４２    受光部
５０    指示部
５１    指示部の先端
５３    指示部の上面
５４    指示部の底面
６０    中空状反射部
６１    指示方向反射面（反射面）
６５    反射面
Ｓ１    指示方向（指示部の先端方向）
Ｓ２    後端方向
ｈ      指示部の高さ
【図１】
0005658050.tif 000002
【図２】
0005658050.tif 000003
【図３】
0005658050.tif 000004
【図４】
0005658050.tif 000005
【図５】
0005658050.tif 000006
【図６】
0005658050.tif 000007
【図７】
0005658050.tif 000008
【図８】
0005658050.tif 000009
【図９】
0005658050.tif 000010
【図１０】
0005658050.tif 000011
【図１１】
0005658050.tif 000012